(57)【要約】      （修正有）【課題】外扇ダクトの表面振動を抑制して発生する騒音を低減し、外扇ダクト内の外気を熱交換器に流入させる通風抵抗を低減する。【解決手段】回転軸１０に固定された回転子１と、固定子２を支持する固定子フレーム８と、固定子２及び回転子１を格納するケーシング１１と、回転軸１０に固定された外扇１３と、ケーシング１１の上方に設置され、外扇１３により外部から取り込まれた外気１４ａと固定子２及び回転子１を冷却した内気が熱交換されて除熱する熱交換器１０２と、ケーシング１１の軸方向端部に設置されていると共に、内部に外扇１３が設置され、外気１４ａを熱交換器１０２に送り込む通風路が形成されている外扇ダクト１０３とを備えた回転電機１００Ａであって、少なくとも外扇ダクト１０３の通風路を形成する板状部材の熱交換器１０２へ外気１４ａを導入する部分が、曲面状に形成されている。【選択図】図１
2019115227.tif 000002
【特許請求の範囲】
【請求項１】
固定子と、該固定子の内径側にエアギャップを介して配置され、回転軸に固定された回転子と、前記固定子を支持する固定子フレームと、前記固定子及び回転子を格納するケーシングと、前記回転軸に固定された外扇と、前記ケーシングの上方に設置され、前記外扇により外部から取り込まれた外気と前記固定子及び回転子を冷却した内気が熱交換されて除熱する熱交換器と、前記ケーシングの軸方向端部に設置されていると共に、内部に前記外扇が設置され、前記外気を前記熱交換器に送り込む通風路が形成されている外扇ダクトとを備えた回転電機であって、
少なくとも前記外扇ダクトの前記通風路を形成する板状部材の前記熱交換器へ前記外気を導入する部分が、曲面状に形成されていることを特徴とする回転電機。
【請求項２】
請求項１に記載の回転電機において、
前記通風路内の前記熱交換器に近い位置に、導入された前記外気を案内する外気導入ガイド板が設置され、前記外気導入ガイド板の前記熱交換器へ前記外気を導入する部分が曲面状に形成されていることを特徴とする回転電機。
【請求項３】
請求項２に記載の回転電機において、
前記外扇ダクトの前記通風路は、前記熱交換器から遠い側に位置する第１の通風路と、前記第１の通風路と連通し、前記熱交換器に近い側に位置する第２の通風路とから成ると共に、前記第１の通風路と前記第２の通風路は、開口部のある中板で仕切られており、
前記前記第２の通風路の前記熱交換器へ前記外気を導入する部分が、曲面状に形成されていることを特徴とする回転電機。
【請求項４】
請求項３に記載の回転電機において、
前記第２の通風路内に、前記外気導入ガイド板が設置されていることを特徴とする回転電機。
【請求項５】
請求項４に記載の回転電機において、
前記第１の通風路は、第１の外扇ダクト外板及び前記中板と、前記第１の外扇ダクト外板と前記中板の間の側面に配置された側板と、これらの上部に配置された上板及び下部に配置された下板とから成り、
前記第２の通風路は、第２の外扇ダクト外板及び前記中板と、前記第２の外扇ダクト外板及び前記中板の間の側面に配置された側板と、これらの上部に配置された上板及び下部に配置された下板とから成り、
前記中板及び前記第２の外扇ダクト外板の前記熱交換器へ前記外気を導入する部分が、曲面状に形成され、
前記第１の外扇ダクト外板には、前記外気を取り込む外気取り込み口が形成されていることを特徴とする回転電機。
【請求項６】
請求項５に記載の回転電機において、
前記外気取り込み口は、前記第１の外扇ダクト外板の上方に形成され、かつ、前記第２の通風路は、前記中板の開口部を介して前記第１の通風路と連通されていると共に、前記第２の通風路から前記熱交換器に前記外気が導かれることを特徴とする回転電機。
【請求項７】
請求項６に記載の回転電機において、
前記第１の通風路には、前記第１の外扇ダクト外板、前記中板、前記上板及び側板によって形成される空間に板状梁が設置されていると共に、前記板状梁には通風穴が形成されており、前記通風穴を介して前記外気が前記第１の通風路内を流れることを特徴とする回転電機。
【請求項８】
請求項７に記載の回転電機において、
前記第１及び第２の外扇ダクト外板と前記中板との間に位置する前記側板には、梁が設置されていると共に、前記梁は、前記板状梁の下端付近の高さから下に向かって等間隔に複数個設置されていることを特徴とする回転電機。
【請求項９】
請求項８に記載の回転電機において、
前記第１の外扇ダクト外板と前記中板及び第２の外扇ダクト外板と前記中板は、パイプ状梁又は円柱状梁でつながれていることを特徴とする回転電機。
【請求項１０】
請求項９に記載の回転電機において、
前記回転軸は、前記ケーシングの前記外扇ダクト側の端部壁及び前記外扇ダクトの前記第２の外扇ダクト外板を貫通して伸びており、前記回転軸の先端に前記外扇が接続され、その外扇が前記第２の通風路内に配置されていることを特徴とする回転電機。
【請求項１１】
請求項２に記載の回転電機において、
前記通風路は、前記熱交換器に遠い側に位置する第１の外扇ダクト外板と、前記熱交換器に近い側に位置する第２の外扇ダクト外板と、前記第１の外扇ダクト外板と前記第２の外扇ダクト外板の間に配置された側板と、これらの下部に配置された下板とから成り、
前記第１及び第２の外扇ダクト外板の前記熱交換器へ前記外気を導入する部分が、曲面状に形成されていることを特徴とする回転電機。
【請求項１２】
請求項１１に記載の回転電機において、
前記第１の外扇ダクト外板には、前記外気を取り込む外気取り込み口が形成されていると共に、この外気取り込み口は外気取り込み口ネットで覆われていることを特徴とする回転電機。
【請求項１３】
請求項１２に記載の回転電機において、
前記通風路には、前記第１及び第２の外扇ダクト外板及び前記側板によって形成される空間に板状梁が設置されていると共に、前記板状梁には通風穴が形成されており、前記通風穴を介して前記外気が前記通風路内を流れることを特徴とする回転電機。
【請求項１４】
請求項１３に記載の回転電機において、
前記第１の外扇ダクト外板と前記第２の外扇ダクト外板との間に位置する前記側板には、梁が設置されていると共に、前記梁は、前記板状梁の下端付近の高さから下に向かって等間隔に複数個設置されていることを特徴とする回転電機。
【請求項１５】
請求項１４に記載の回転電機において、
前記第１の外扇ダクト外板と第２の外扇ダクト外板は、パイプ状梁又は円柱状梁でつながれていることを特徴とする回転電機。
【発明の詳細な説明】
【技術分野】
【０００１】
本発明は回転電機に係り、例えば、ブロア用モータ、ポンプ用モータ、圧縮機用モータ等のように、ケーシングの軸方向端部に設置され、機内に外気を取り込む外扇が配置されている外扇ダクトを備えているものに好適な回転電機に関する。
【背景技術】
【０００２】
一般に、回転電機では、回転電機を構成する固定子と回転子が格納されている密閉式のケーシングの軸方向端部に外扇ダクトが設置され、この外扇ダクト内に配置されている外扇によって外気を熱交換器に取り込み、ケーシング内を循環する空気と外気とを熱交換することで回転電機を冷却している。
【０００３】
このような外気を取り込む外扇が設置されている外扇ダクトを備えている回転電機としては、特許文献１に記載されたものがある。
【０００４】
この特許文献１の回転電機には、回転子と固定子を格納するケーシングの端部に隣接配置されて外気取り入れ口から取り入れた外気を熱交換器の伝熱管入口開口に導き、内部に外扇が配置された外扇ダクトを備え、この外扇ダクトは、外気取り入れ口が形成されて外扇が収容される外扇ダクト下部部材と、外扇ダクト下部部材の真上に接離可能に接続されて、ケーシングの第１の端部に接離可能に結合される外扇ダクト上部部材とを有することが記載されている。
【先行技術文献】
【特許文献】
【０００５】
【特許文献１】特開２０１５−１５４５８３号公報
【発明の概要】
【発明が解決しようとする課題】
【０００６】
しかしながら、上述した特許文献１に記載された従来技術では、外扇の風量が増えるとケーシング表面にうずが発生したり風が当たるため外扇ダクトの表面振動が増大し、それに伴い騒音が発生する場合があった。また、この外扇は、回転電機の軸と同期して回転しているため、上記のように外扇の風量が増えることは、回転電機の回転数が大きくなること若しくは外扇径が大きくなることであり、この場合は、回転電機から外扇ダクトに伝わる振動も大きくなる。
【０００７】
更に、特許文献１に記載された従来技術では、外扇ダクトを構成する外扇ダクト下部部材と外扇ダクト上部部材、及び外扇ダクト内に配置されているガイド板が平板で形成されているため外気が流れづらく、特に、外気の流れ方向が変わる外扇ダクト下部部材と外扇ダクト上部部材の接続部分あるいはガイド板の屈曲部分では外気が停留してしまい、外扇ダクト内の外気を熱交換器に流入させる際の通風抵抗が大きい構造となっていた。
【０００８】
本発明は上述の点に鑑みなされたもので、その目的とするところは、外扇ダクトの表面振動を抑制して発生する騒音を低減することは勿論、外扇ダクト内の外気を熱交換器に流入させる際の通風抵抗を低減することができる回転電機を提供することにある。
【課題を解決するための手段】
【０００９】
本発明の回転電機は、上記目的を達成するために、固定子と、該固定子の内径側にエアギャップを介して配置され、回転軸に固定された回転子と、前記固定子を支持する固定子フレームと、前記固定子及び回転子を格納するケーシングと、前記回転軸に固定された外扇と、前記ケーシングの上方に設置され、前記外扇により外部から取り込まれた外気と前記固定子及び回転子を冷却した内気が熱交換されて除熱する熱交換器と、前記ケーシングの軸方向端部に設置されていると共に、内部に前記外扇が設置され、前記外気を前記熱交換器に送り込む通風路が形成されている外扇ダクトとを備えた回転電機であって、少なくとも前記外扇ダクトの前記通風路を形成する板状部材の前記熱交換器へ前記外気を導入する部分が、曲面状に形成されていることを特徴とする。
【発明の効果】
【００１０】
本発明によれば、外扇ダクトの表面振動を抑制して発生する騒音を低減することは勿論、外扇ダクト内の外気を熱交換器に流入させる際の通風抵抗を低減することができる。
【図面の簡単な説明】
【００１１】
【図１】本発明の回転電機の実施例１を示す断面図である。
【図２】本発明の回転電機の実施例１に採用される外扇ダクトを示す斜視図である。
【図３（ａ）】本発明の回転電機の実施例１に採用される外扇ダクトを示す正面図である。
【図３（ｂ）】図３（ａ）の側面図である。
【図４】本発明の回転電機の実施例２を示す断面図である。
【図５】本発明の回転電機の実施例２に採用される外扇ダクトを示す斜視図である。
【図６（ａ）】本発明の回転電機の実施例２に採用される外扇ダクトを示す正面図である。
【図６（ｂ）】図６（ａ）の側面図である。
【発明を実施するための形態】
【００１２】
以下、図示した実施例に基づいて本発明の回転電機を説明する。なお、各実施例において、同一構成部品には同符号を使用する。
【実施例１】
【００１３】
図１に、本発明の回転電機の実施例１を示す。
【００１４】
該図に示すように、本実施例の回転電機１００Ａは、回転電機本体１０１と、この回転電機本体１０１内に流通する内気４を冷却する熱交換器１０２と、熱交換器１０２に外気を取り込むための外扇ダクト１０３とから概略構成されている。
【００１５】
上述した回転電機本体１０１は、固定子２と、この固定子２の内径側にエアギャップ３を介して対向配置された回転子１と、固定子２を支持する固定子フレーム８と、固定子２と回転子１を格納するケーシング１１と、ケーシング１１の上方に設置され、後述する外扇１３により外部から取り込まれた外気１４ａと固定子２及び回転子１を冷却した内気４を熱交換して除熱する熱交換器１０２と、回転子１の回転軸１０の両端に設置され、熱交換器１０２で除熱された内気４を機内（回転電機本体１０１内）に還流する内扇ファン７とを備えている。
【００１６】
また、固定子２は、固定子鉄心６と、この固定子鉄心６の内径側に形成された複数のスロット（図示せず）内に収納された固定子コイル９とから成り、この固定子コイル９は、固定子鉄心６の端部から軸方向に突出した固定子コイルエンド部９Ａが形成されていると共に、この固定子コイルエンド部９Ａを覆うようにファンガイド板５を有して構成されている。
【００１７】
そして、内扇ファン７で除熱された内気は、回転子１の内部へ向かう内気４ａ、エアギャップ３へ向かう内気４ｂ、固定子コイルエンド部９Ａへ向かう内気４ｃに分流する。
【００１８】
回転子１の内部へ向かう内気４ａは、回転子１を冷却した後、エアギャップ３へ向かう内気４ｂと合流して固定子２を冷却し、固定子フレーム８内に流入する。固定子コイルエンド部９Ａへ向かう内気４ｃは、固定子コイルエンド部９Ａを冷却した後、固定子１を支持する固定子フレーム８の開口部（図示せず）を通って固定子フレーム８内に流入して他の内気４ａ及び４ｂと合流する。
【００１９】
固定子フレーム８の外周から流出した内気４は、熱交換器１０２に流入し除熱され、ケーシング１１とファンガイド板５とで形成される機内通風路３２を通り内扇ファン７へと戻る。
【００２０】
また、熱交換器１０２は、複数の管が平行に配置された管群１２を備えており、その内部には、外扇１３により二次冷媒である外気１４ａが流通されている。内気４は、熱交換器１０２の内部で管群１２の間を通過する際に、管内の外気１４ａと管壁を介して熱交換される。
【００２１】
図２は、本実施例における２つの通風路を持つ外扇ダクト１０３を示すものである。
【００２２】
該図に示すように、本実施例の外扇ダクト１０３は、外気取り込み口１５ａと、外扇ダクト１０３の外形を構成する第１の外扇ダクト外板１６ａ及び第２の外扇ダクト外板１６ｂと、側板１７と、上板１８及び下板１９と、外扇取り付け部蓋２０により構成されている。第１の外扇ダクト外板１６ａには、円形の外扇取り付け穴２１が開いており、外扇１３を取り付けた後に、外扇取り付け部蓋２０で外扇取り付け穴２１を塞ぎ、ボルト（図示せず）で固定する構造になっている。
【００２３】
図３（ａ）に、上述した実施例１における外扇ダクト１０３の正面図を、図３（ｂ）に、図３（ａ）の側面図を示す。
【００２４】
該図に示すように、２つの通風路を持つ外扇ダクト１０３は、熱交換器１０２から遠い側に位置する第１の通風路３３と、第１の通風路３３と連通し、熱交換器１０２に近い側に位置する第２の通風路３４から構成されていると共に、第１の通風路３３と第２の通風路３４は、開口部のある中板２２で仕切られており、本実施例では、第２の通風路３４の熱交換器１０２へ外気１４ａを導入する部分が曲面状になっている。
【００２５】
また、第２の通風路３４内の熱交換器１０２に近い位置には、導入された外気１４ａを案内する外気導入ガイド板２３が設置され、この外気導入ガイド板２３の一部が、第２の通風路３４と同様に曲面状に形成されている。
【００２６】
上述した第１の通風路３３は、第１の外扇ダクト外板１６ａ及び中板２２と、第１の外扇ダクト外板１６ａと中板２２の間の側面に配置された側板１７と、これらの上部に配置された上板１８及び下部に配置された下板１９とから成り、また、第２の通風路３４は、第２の外扇ダクト外板１６ｂ及び中板２２と、第２の外扇ダクト外板１６ｂ及び中板２２の間の側面に配置された側板１７と、これらの上部に配置された上板１８及び下部に配置された下板１９とから成り、中板２２及び第２の外扇ダクト外板１６ｂの熱交換器１０２へ外気１４ａを導入する部分が、曲面状に形成されており、第１の外扇ダクト外板１６ａには、外気１４ａを取り込む外気取り込み口１５ａが形成されている。
【００２７】
即ち、第１の通風路３３は、第１の外扇ダクト外板１６ａ、中板２２、上板１８、下板１９及び側板１７によって構成され、第１の外扇ダクト外板１６ａの上方には、外気取り込み口１５ａを有し外気１４ａを導入する。第２の通風路３４は、第１の通風路３３に対して中板２２を介して熱交換器１０２側に設けられ、第２の外扇ダクト外板１６ｂ、中板２２、上板１８、下板１９及び側板１７によって構成される。
【００２８】
第２の通風路３４は、中板２２の一部に設けられた開口部を介して第１の通風路３３に連通し、第２の通風路３４から熱交換器１０２に外気１４ａを導く。
【００２９】
そして、中板２２と第２の外扇ダクト外板１６ｂ及び外気導入ガイド板２３の熱交換器１０２へ外気１４ａを導入する部分が、曲面状に形成されている。
【００３０】
また、第１の通風路３３には、第１の外扇ダクト外板１６ａ及び中板２２、上板１８及び側板１７によって形成される空間に板状梁２７が設置されていると共に、この板状梁２７には通風穴２８が形成され、この通風穴２８を介して外気１４ａが第１の通風路３３内を流れる。
【００３１】
また、回転軸１０は、ケーシング１１の外扇ダクト１０３側の端部壁及び外扇ダクト１０３の第２の外扇ダクト外板１６ｂを貫通して伸びており、回転軸１０の先端に外扇１３が接続され、この外扇１３が第２の通風路３４内に配置されている。
【００３２】
このように、外扇ダクト１０３内、即ち、第２の通風路３４内に外扇１３が収納される構造となり、第１の通風路３３及び第２の通風路３４を設けることで、外扇１３のファン音が直接外部に漏れづらくなるので、外扇１３による騒音低減が可能である。
【００３３】
更に、本実施例では、中板２２及び第２の外扇ダクト外板１６ｂのうち、熱交換器１０２に外気を導入する導入部分の断面が曲面状になっていると共に、中板２２及び第２の外扇ダクト外板１６ｂの外気導入部分の断面が曲面状になるのに伴い、外気導入ガイド板２３の断面も曲面状になっているので、外気１４ａの導入部分の断面が直線で構成された従来の中板と比較して剛性が向上し、外扇１３の通風による中板２２の振動が軽減される。
【００３４】
また、第１の外扇ダクト外板１６ａと中板２２とを板状梁２７でつなぐことで、剛性を高くしている。この板状梁２７には通風穴２８が開いており、外気１４ａが板状梁２７により仕切られることなく、空間的に均一に流れる構造になっている。
【００３５】
このような本実施例の構造によって、熱交換器１０２への外気１４ａの導入部分の断面が直線で構成された従来の中板に比べ剛性が高く、外扇１３の通風による中板２２の振動が軽減される。また、外気１４ａの熱交換器１０２の管群１２への導入部分における通風抵抗が小さくなり、外気１４ａをよりスムーズに管群１２へと誘導することができる。
【００３６】
更に、本実施例では、第１の外扇ダクト外板１６ａ、第２の外扇ダクト１６ｂと中板２２との間に位置する側板１７には、梁２４が設けられている。この梁２４は、板状梁２７の下端付近の高さから下に向かって等間隔に複数個設けられており、板状梁２７の配置されていない外扇ダクト１０３下部の剛性を高める役割を持っている。
【００３７】
これにより、外扇ダクト１０３全体の剛性を高め、外扇ダクト１０３の表面の振動を軽減することができる。
【００３８】
また、従来構造では、第１の外扇ダクト外板１６ａの表面のうち外扇ダクト１０３の上部にある点２５及び第２の外扇ダクト外板１６ｂの表面においては剛性が小さく、外扇ダクト１０３の通風による振動が大きくなる。
【００３９】
この対策として、本実施例では、部分的に剛性の小さい第１の外扇ダクト外板１６ａ表面上の点２５を、剛性を高くした中板２２と第１の外扇ダクト外板１６ａを中空構造のパイプ状梁２６でつなぎ、更に、中板２２と第２の外扇ダクト外板１６ｂともパイプ状梁２６でつなぐことで、第１の外扇ダクト外板１６ａの表面上の点２５及び第２の外扇ダクト外板１６ｂの表面の剛性を上げ、振動を抑制する構造になっている。なお、中空構造のパイプ状梁２６に代えて円柱状の梁でもよい。
【００４０】
従って、本実施例によれば、外扇ダクト１０３の表面振動を抑制して発生する騒音を低減することは勿論、外扇ダクト１０３内の外気を熱交換器１０２に流入させる際の通風抵抗を低減することができる。
【実施例２】
【００４１】
図４に、本発明の回転電機の実施例２を示す。
【００４２】
該図に示す本実施例の回転電機１００Ｂは、回転電機本体１０１と熱交換器１０２の機構は実施例１に示したものと同様であるが、実施例１の通風路が２つの外扇ダクト１０３に代えて、外扇１３による風量および回転電機の回転数が小さい回転電機に対応した通風路が１つの外扇ダクト１０４が取り付けられており、外気１４ｂの流れのような流路にて熱交換器１０２に外気を取り込むものである。
【００４３】
図５は、本実施例における１つの通風路を持つ外扇ダクト１０４を示すものである。
【００４４】
該図に示すように、本実施例の１つの通風路を持つ外扇ダクト１０４は、外扇ダクト１０４の外形を構成する熱交換器１０２に遠い側に位置する第１の外扇ダクト外板１６ａと、熱交換器１０２に近い側に位置する第２の外扇ダクト外板１６ｂと、第１の外扇ダクト外板１６ａと第２の外扇ダクト外板１６ｂの間に配置された側板１７と、これらの下部に配置された下板１９と、第１の外扇ダクト外板１６ａに形成され、外扇１３の取付け穴を兼用し外気１４ｂを取り込む外気取り込み口２９と、外気取り込み口２９を覆い、ドーナツ形状の中央部が網状になっている外気取り込み口ネット３０とにより構成されている（なお、第１の外扇ダクト外板１６ａの上部は、実施例１の上板１８を兼ねている）。
【００４５】
そして、本実施例では、第１外扇ダクト外板１６ａと第２の外扇ダクト外板１６ｂ及び外気導入ガイド板２３の熱交換器１０２へ外気１４ｂを導入する部分が曲面状に形成されている。
【００４６】
また、第１の外扇ダクト外板１６ａには外気取り込み口２９が形成されているが、この第１の外扇ダクト外板１６ａは外扇１３の取り付け穴の役割も兼ねている。更に、外扇１３を取り付け後に、外気取り込み口ネット３０をボルト（図示せず）で固定する構造になっている。
【００４７】
図６（ａ）に、上述した実施例２における外扇ダクト１０４の正面図を、図６（ｂ）に、図６（ａ）の側面図を示す。
【００４８】
該図に示すように、１つの通風路を持つ外扇ダクト１０４は、第１の外扇ダクト外板１６ａ及び外気導入ガイド板２３が、熱交換器１０２に外気を導入する役割をしており、上述した如く、共に断面は曲面状となっている。
【００４９】
このような本実施例における外扇ダクト１０４において、第１の外扇ダクト外板１６ａ及び外気導入ガイド板２３の断面を曲面状とすることで、外扇ダクト１０４の剛性を高くすると同時に、外気１４ｂの熱交換器１０２の管群１２への導入部分における通風抵抗を小さくし、外気１４ｂをスムーズに管群１２へと誘導することができる。
【００５０】
また、第１の外扇ダクト外板１６ａと第２の外扇ダクト外板１６ｂ及び側板１７によって形成される空間（通風路）に板状梁２７が設置され、この第１の外扇ダクト外板１６ａと第２の外扇ダクト外板１６ｂを板状梁２７でつなぐことで、剛性を高くしている。また、板状梁２７には通風穴２８が形成されており、この通風穴２８を介して外気１４ｂが通風路内を流れる。
【００５１】
更に、第１の外扇ダクト外板１６ａと第２の外扇ダクト外板１６ｂとの間に位置する側板１７には、梁２４が設けられており、この梁２４は、板状梁２７の下端付近の高さから下に向かって側板１７に沿うように等間隔に複数個設けられており、板状梁２７が配置されていない外扇ダクト１０４の下部の剛性を高める役割を持っている。
【００５２】
これにより、外扇ダクト１０４全体の剛性を高め、外扇ダクト１０４の表面の振動を軽減することができる。
【００５３】
また、従来構造では、第１の外扇ダクト外板１６ａの表面のうち外扇ダクト１０４の上部にある点２５においては剛性が小さく、外扇ダクト１０４の通風による振動が大きくなる。
【００５４】
この対策として、本実施例では、部分的に剛性の小さい第１の外扇ダクト外板１６ａの表面上の点２５を、剛性を大きくした第１の外扇ダクト外板１６ａと第２の外扇ダクト外板１６ｂを中空構造のパイプ状梁２６でつなぐことで、第１の外扇ダクト外板１６ａの表面上の点２５及び第２の外扇ダクト外板１６ｂの表面の剛性を上げ、振動を抑制する構造になっている。なお、中空構造のパイプ状梁２６に代えて円柱状の梁でもよい。
【００５５】
従って、本実施例によれば、実施例１と同様な効果を得ることができる。
【００５６】
このような実施例１及び２の構造により、外扇ダクト１０３及び１０４は、外扇ダクト１０３、１０４の振動と、それに伴う騒音の軽減及び外扇ダクト１０３、１０４内の通風抵抗の軽減という利点がある。
【００５７】
また、外扇１３による風量及び回転電機の回転数の大小により、それに対応して実施例１又は実施例２を選択すれば、適用製品に応じた回転電機を使用することができる。
【００５８】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００５９】
１…回転子、２…固定子、３…エアギャップ、４、４ａ、４ｂ、４ｃ…内気、５…ファンガイド板、６…固定子鉄心、７…内扇ファン、８…固定子フレーム、９…固定子コイル、９Ａ…固定子コイルエンド部、１０…回転軸、１１…ケーシング、１２…管群、１３…外扇、１４、１４ａ、１４ｂ…外気、１５ａ…外気取り込み口、１６ａ…第１の外扇ダクト外板、１６ｂ…第２の外扇ダクト外板、１７…側板、１８…上板、１９…下板、２０…外扇取り付け部蓋、２１…外扇取り付け穴、２２…中板、２３…外気導入ガイド板、２４…梁、２６…パイプ状梁、２７…板状梁、２８…通風穴、２９…外気取り込み口、３０…外気取り込み口ネット、３１…外板、３２…機内通風路、３３…第１の通風路、３４…第２の通風路、１００Ａ、１００Ｂ…回転電機、１０１…回転電機本体、１０２…熱交換器、１０３、１０４…外扇ダクト。
【図１】
2019115227.tif 000003
【図２】
2019115227.tif 000004
【図３（ａ）】
2019115227.tif 000005
【図３（ｂ）】
2019115227.tif 000006
【図４】
2019115227.tif 000007
【図５】
2019115227.tif 000008
【図６（ａ）】
2019115227.tif 000009
【図６（ｂ）】
2019115227.tif 000010